(57)【要約】【課題】本発明は、利用者の負担を軽減し、利用者が特典サービスの提供を気軽に受けることを可能としたプリント自動販売装置の提供を目的とする。【解決手段】本発明に係るプリント自動販売装置１は、取得した画像データを印刷して販売するプリント自動販売装置１であって、無料モード信号を受信する無料モード信号受信部９と、画像データを印刷する印刷部７と、を備え、無料モード信号を受信した場合は、無料で画像データを印刷して提供することを特徴とする。【選択図】図１
2014206847.tif 000002
【特許請求の範囲】
【請求項１】
取得した画像データを印刷して販売するプリント自動販売装置であって、
無料モード信号を受信する無料モード信号受信部と、
前記画像データを印刷する印刷部と、
を備え、
前記無料モード信号を受信した場合は、無料で前記画像データを印刷して提供することを特徴とする、
プリント自動販売装置。
【請求項２】
プリント自動販売装置情報送信部をさらに備え、
前記プリント自動販売装置情報送信部から自己の装置固有番号を送信することを特徴とする、
請求項１に記載のプリント自動販売装置。
【請求項３】
請求項１または請求項２に記載のプリント自動販売装置に前記無料モード信号を送信する無料モード信号送信方法であって、
無料プリントサービスを受けるための条件が記載された無料プリント情報を取得するステップと、
前記無料プリント情報に基づいて無料モード信号を生成するステップと、
前記無料モード信号を送信するステップと、
を備える、
無料モード信号送信方法。
【請求項４】
有料プリントの回数を取得するステップと、
前記有料プリントの回数が所定の回数を超えた場合に、前記無料モード信号を生成するステップと、
をさらに備える、
請求項３に記載の無料モード信号送信方法。
【請求項５】
前記無料プリント情報には、利用可能なプリント自動販売装置の位置情報が含まれており、
自己の位置情報を取得するステップと、
前記自己の位置と、前記利用可能なプリント自動販売装置の位置とを前記表示部に表示可能な表示信号を出力するステップと、
をさらに備える、
請求項３または請求項４に記載の無料モード信号送信方法。
【請求項６】
請求項３〜５のいずれかに記載の無料モード信号送信方法において用いられる前記無料プリント情報を与えるサーバ装置であって、
前記無料プリント情報を記憶する記憶部と、
前記無料プリント情報を送信するネットワーク通信部と、
を備える、
サーバ装置。
【請求項７】
前記無料プリント情報には、利用可能なプリント自動販売装置の装置固有番号が含まれていることを特徴とする、
請求項６に記載のサーバ装置。
【請求項８】
前記無料プリント情報は、一定期間ごとに更新されることを特徴とする、
請求項６または請求項７に記載のサーバ装置。
【発明の詳細な説明】
【技術分野】
【０００１】
本発明はプリント自動販売装置、無料モード信号送信方法およびサーバ装置に関し、特に取得した画像データを印刷して販売するプリント自動販売端末に関する。
【背景技術】
【０００２】
近年のデジタルカメラの急速な普及により、写真店舗等において、無人のプリント自動販売装置でデジタル画像データを写真として出力し、販売するサービスが提供されている。これらのプリント自動販売装置では、集客の増加やサービスの認知度を向上するために無料プリントや割引プリントなど様々な特典を提供している。
【０００３】
例えば、特許文献１記載の装置では、インターネットを利用した写真注文システムにおいてツアー旅行の参加者に無料クーポンを発行し、無料クーポンに基づいて特典を受けるプリントサービスが提案されている。さらに特許文献２記載の装置では、プリント自動販売装置において携帯電話のユーザー認証情報と、ネットワークに接続された自動販売装置による決済を行うシステムが提案されている。このシステムでは、例えば無料プリントなどの特典を提供することも可能である。
【０００４】
しかしながら、いずれの装置においても利用者が事前に特定の情報を登録することを前提としており、またクーポン番号の入力による認証などが必要なため、利用者に手間が発生する。よって、利用者にとって利便性が高いとは言えない。また、利用者ごとにユニークなクーポン番号を発行する場合はクーポン番号の管理やクーポンの印刷などサービス提供者にとっても費用や管理の負担が大きい。
【先行技術文献】
【特許文献】
【０００５】
【特許文献１】特開２００８−１９１９３３号公報
【特許文献２】特開２００４−１３９１６５号公報
【発明の概要】
【発明が解決しようとする課題】
【０００６】
上述のように、利用者が無人のプリント自動販売装置において無料プリントなどの特典を受ける際に、利用者は、事前の個人情報登録、認証コード入力などの操作が必要であり、手間がかかる問題があった。また、この様な手間がかかることにより、上記特典が利用者に十分に利用されない問題があった。
【０００７】
本発明は以上の課題を解決するためになされたものであり、利用者の負担を軽減し、利用者が特典サービスの提供を気軽に受けることを可能としたプリント自動販売装置の提供を目的とする。
【課題を解決するための手段】
【０００８】
本発明に係るプリント自動販売装置は、取得した画像データを印刷して販売するプリント自動販売装置であって、無料モード信号を受信する無料モード信号受信部と、画像データを印刷する印刷部と、を備え、無料モード信号を受信した場合は、無料で前記画像データを印刷して提供することを特徴とする。
【発明の効果】
【０００９】
本発明に係るプリント自動販売装置によれば、利用者の移動通信端末からプリント自動販売装置に対して無料モード信号を送信可能であれば、事前の個人情報の登録、認証コード入力などの操作をすることなく、利用者は無料プリントサービスを受けることができる。よって、利用者の負担が軽減され、利便性が向上する。
【図面の簡単な説明】
【００１０】
【図１】実施の形態１に係るプリント自動販売装置等の機能ブロック図である。
【図２】実施の形態１に係るプリント自動販売装置の動作を示すフローチャートである。
【図３】実施の形態１に係る無料モード信号送信方法のフローチャートである。
【図４】実施の形態２に係るプリント自動販売装置等の機能ブロック図である。
【図５】実施の形態３に係るプリント自動販売装置等の機能ブロック図である。
【図６】実施の形態４に係るプリント自動販売装置等の機能ブロック図である。
【図７】実施の形態５に係るプリント自動販売装置等の機能ブロック図である。
【発明を実施するための形態】
【００１１】
＜実施の形態１＞
＜構成＞
図１は、本実施の形態におけるプリント自動販売端末１、移動通信端末２およびサーバ装置３の機能ブロック図である。図１において、プリント自動販売装置１は、無料モード信号に応じて無料でプリントサービスを行う。プリントサービスとは、取得した画像を印刷して利用者に提供するサービスである。移動通信端末２はネットワーク通信機能を有する。移動通信端末２は、インターネットを介してサーバ装置３から無料プリント情報を取得し、無料プリント情報に基づいて無料モード信号を生成して、プリント自動販売装置１に送信する。
【００１２】
プリント自動販売装置１は、タッチパネルモニター付パソコンにメモリーカードリーダー等を接続した装置で構成されるプリント注文受付部４と、プリント注文受付部４より送信されたプリント注文情報を管理するプリント注文管理部５を備える。プリント自動販売装置１はさらに、プリント料金の支払いを受付ける料金支払い受付部６と、プリント注文管理部５の指示によりプリントを実行する印刷部７、印刷部７でプリントした印刷物を顧客に渡す印刷物受渡部８を備える。プリント自動販売装置１はさらに、移動通信端末２から送信される無料モード信号を受信する無料モード信号受信部９と、無料プリントサービスの実行をプリント注文受付部４に指示する無料プリントサービス管理部１０を備える。
【００１３】
移動通信端末２は、インターネットとのネットワーク通信を行い、サーバ装置３から無料プリント情報１４を取得するネットワーク通信部１１を備える。移動通信端末２はさらに、無料プリント情報１４に従って無料プリントサービス提供可否を判定する無料プリントサービス判定部１２と、無料プリントサービス判定部１２の判定に応じて無料モード信号を生成し送信する無料モード信号送信部１３を備える。
【００１４】
サーバ装置３は、無料プリント情報１４を記憶する記憶部１４と、インターネット３０を介して無料プリント情報を送信可能なネットワーク通信部１５を備える。
【００１５】
＜動作＞
図２は、プリント自動販売装置１の動作を説明するフローチャートである。使用者は、画像データが記憶されたメモリーカードを、プリント注文受付部４に備わるメモリーカードリーダーに挿入する。すると、プリント注文受付部４は、挿入されたメモリーカード内に記憶された画像データを取得して、モニターに表示する（ステップＳ１０１）。
【００１６】
次に、無料プリントサービス管理部１０は、無料モード信号受信部９にて無料モード信号を受信したか否かを判断する（ステップＳ１０２）。ここで、無料モード信号は、移動通信端末２から送信される信号である。
【００１７】
無料プリントサービス管理部１０が、無料モード信号を受信したと判断した場合は、無料プリントサービス管理部１０からプリント注文受付部４へ無料プリントサービスの提供の指示が行われる。プリント注文受付部４は、予め規定された制限の範囲内でプリント注文を受付け、プリント注文情報を作成する（ステップＳ１０３）。具体的には、使用者がモニターに表示された画像を確認し、タッチパネルからの入力操作などにより印刷する画像を選択し、印刷枚数、サイズなどを設定することによりプリント注文が行われる。このとき、予め規定された制限により、注文可能な印刷枚数、サイズなどが制限される。プリント注文情報には、選択された画像、印刷枚数、サイズ、プリント料金などが記載される。プリント料金の欄には、プリント料金が無料であることが記載される。選択された画像データと、プリント注文情報は、プリント注文管理部５に送信される。
【００１８】
一方、ステップＳ１０２おいて無料プリントサービス管理部１０が、無料モード信号を受信していないと判断した場合は、プリント注文受付部４は、プリント注文を受付け、プリント注文情報を作成する（ステップＳ１０４）。プリント注文情報のプリント料金の欄には、プリント注文に基づいて計算されたプリント料金が記載される。選択された画像データと、プリント注文情報は、プリント注文管理部５に送信される。
【００１９】
プリント注文管理部５は、受信したプリント注文情報に基づいて、プリント料金が無料か否かを判断する（ステップＳ１０５）。プリント注文管理部５は、プリント注文情報のプリント料金の欄を参照して、無料と記載されている場合は、印刷部７にプリント注文が実行された画像データを送信し、プリント注文に応じた印刷を指示する。
【００２０】
一方、プリント注文情報のプリント料金の欄に無料と記載されていない場合は、利用者に対してプリント料金の請求を行う。プリント注文管理部５は、注文料金支払い受付部６から料金支払い情報を取得し、利用者による注文料金の支払いの完了が確認されたか否かを判断する（ステップＳ１０６）。プリント料金の支払いの完了が確認された場合には、印刷部７に選択された画像データを送信し、プリント注文に応じた印刷を指示する。印刷部７でプリントされた印刷物は、印刷物受渡部８を介して利用者に提供される。
【００２１】
図３を用いて、本実施の形態における移動通信端末２が無料モード信号出力を出力する動作を説明する。まず、移動通信端末２は、ネットワーク通信部１１を介してサーバ装置３に記憶されている無料プリント情報を定期的に取得する（ステップＳ２０１）。次に、無料プリントサービス判定部１２は、取得した無料プリント情報に基づいて、無料プリントサービスの提供が可能か否かの判定を行う（ステップＳ２０２）。無料プリントサービスの提供が可能と判定された場合は、無料モード信号が生成され、無料モード信号を送信することが可能となる（ステップＳ２０３）。具体的には、無料プリント情報には、無料プリントサービスが提供可能な期間(日付、時間、曜日など)、１回の無料プリントサービスでプリント注文可能な上限枚数、一定期間内に提供可能な無料プリントサービスの回数などの、無料プリントを利用可能な条件が記載されている。無料プリントサービス判定部１２は、利用者が上記条件を満たすか否かの判定を行う。利用者は上述の条件の範囲内でサービスを受けるためにプリント自動販売装置の設置場所に足を運ぶことになり、設置店舗への集客効果が期待できる。
【００２２】
ステップＳ２０２において無料プリントサービスの提供が可能と判定されて無料モード信号が生成された場合、無料モード信号送信部１３より、無料モード信号が送信可能となる（ステップＳ２０３）。無料モード信号送信部１３による無料モード信号の送信は、例えば、ＷｉｆｉやＢｌｕｅｔｏｏｔｈ（登録商標）等の無線通信により行われる。また、ＵＳＢケーブルや有線ＬＡＮ等の有線通信でもよい。
【００２３】
一方、ステップＳ２０２において無料プリントサービスの提供が不可能と判定されて無料モード信号が生成されなかった場合、無料モード信号送信部１３より、無料モード信号が送信不可能となる（ステップＳ２０４）。
【００２４】
なお、無料プリントサービスの利用回数の管理は、移動通信端末２で実施しても良いし、移動通信端末２の装置固有番号を記録することで、プリント自動販売装置１やサーバ装置３で実施しても良い。
【００２５】
このように、本実施の形態においては、サーバ装置３に無料プリント情報を保管し、インターネット３０を介して取得した無料プリント情報に基づいて、移動通信端末２はプリント自動販売装置１に対して無料モード信号を送信する。よって、利用者は移動通信端末２に予めインストールしてあるプログラムを起動させるだけで、無料プリントサービスを受けることができる。
【００２６】
また、利用者は、移動通信端末２において無料プリントサービス判定部１２の機能を実現するプログラムを、ネットワーク上の特定の場所（例えばサーバ装置３）からダウンロードしてインストールすることが可能である。つまり、利用者は携帯電話やモバイル機器などの自らの移動通信端末２において、無料プリントサービス判定部１２の機能を容易に実現できる。よって、利用者は自らの移動通信端末２を用いて、無料プリントサービスの提供を受けることが可能である。
【００２７】
また、無料プリントサービスに限らず、特別料金によるプリントサービス、プリントクーポン購入などの前払いによるプリントサービスなども、同様の手法で実現可能である。
【００２８】
＜効果＞
本実施の形態におけるプリント自動販売装置１は、取得した画像データを印刷して販売するプリント自動販売端末１であって、無料モード信号を受信する無料モード信号受信部９と、画像データを印刷する印刷部７と、を備え、無料モード信号を受信した場合は、無料で画像データを印刷して提供することを特徴とする。
【００２９】
従って、利用者の移動通信端末２からプリント自動販売装置１に対して無料モード信号を送信可能であれば、事前の個人情報の登録、認証コード入力などの操作をすることなく、利用者は無料プリントサービスを受けることができる。よって、利用者の負担が軽減され、利便性が向上する。
【００３０】
また、本実施の形態における無料モード信号送信方法は、プリント自動販売装置１に無料モード信号を送信する無料モード信号送信方法であって、無料プリントサービスを受けるための条件が記載された無料プリント情報を取得するステップと、無料プリント情報に基づいて無料モード信号を生成するステップと、無料モード信号を送信するステップと、を備える。
【００３１】
従って、利用者の移動通信端末２が上記の方法を用いて、無料モード信号の送信をプリント自動販売装置１に対して行うことにより、利用者が個人情報を登録したり、認証コードを入力するなどの操作をすることなく、無料プリントサービスの提供を受けることが可能となる。よって、利用者にとって利便性が向上する。
【００３２】
また、本実施の形態におけるサーバ装置３は、無料モード信号送信方法において用いられる無料プリント情報を与えるサーバ装置３であって、無料プリント情報を記憶する記憶部１４と、無料プリント情報を送信するネットワーク通信部１５と、を備える。
【００３３】
従って、サーバ装置３に無料プリント情報を記憶しておくことで、移動通信端末２はインターネット３０を介して無料プリント情報を取得して、無料モード信号を生成することが可能である。無料モード信号が生成、送信されることにより、利用者は手軽に無料プリントサービスを受けることが可能となる。よって、利用者にとって、利便性が向上する。
【００３４】
＜実施の形態２＞
＜構成＞
図４は、本実施の形態に係るプリント自動販売装置１、移動通信端末２およびサーバ装置３の機能ブロック図である。本実施の形態において、プリント自動販売装置１は、装置固有番号を送信するプリント自動販売装置情報送信部１７をさらに備える。ここで、装置固有番号とは、プリント自動販売装置１の製造管理番号など、装置を識別可能な装置固有の番号である。
【００３５】
また、移動通信端末２は、プリント自動販売装置情報受信部１８をさらに備える。また、サーバ装置３の記憶部１４に記憶されている無料プリント情報には、さらに、無料プリントサービスを提供可能なプリント自動販売装置１のリストとして、装置固有番号リストが含まれている。本実施の形態２に係るプリント自動販売装置１、移動通信端末２およびサーバ装置３について、その他の構成は図１と同じため、説明を省略する。
【００３６】
＜動作＞
プリント自動販売装置１には、装置固有番号が記憶されている。移動通信端末２の無料プリントサービス判定部１１は、無料プリント情報に基づいて無料プリントサービスの提供が可能か否かの判定を行う際に、実施の形態１で述べた動作に加えて、以下の動作を行う。
【００３７】
無料プリントサービス判定部１１はプリント自動販売装置情報受信部１８を介して、プリント自動販売装置１のプリント自動販売装置情報送信部１７から装置固有番号を取得する。そして、無料プリント情報に含まれる装置固有番号リストに、取得した装置固有番号が記載されているか否かの判断を行う。装置固有番号リストに取得した装置固有番号が記載されていて、かつ、無料プリント情報に含まれている他の条件も満たされている場合は、無料プリントサービス判定部１１は、無料プリントサービスの提供が可能と判断する。一方、装置固有番号リストに取得した装置固有番号が記載されていない場合は、無料プリントサービス判定部１１は、無料プリントサービスの提供が不可能と判断する。その他の動作は実施の形態１と同じため、説明を省略する。
【００３８】
例えば、装置固有番号リストに特定地域のプリント自動販売装置１の装置固有番号を記載しておくことで、特定の地域でのみ無料プリントサービスの提供が可能となる。
【００３９】
＜効果＞
本実施の形態におけるプリント自動販売装置１は、プリント自動販売装置情報送信部１７をさらに備え、プリント自動販売装置情報送信部１７から自己の装置固有番号を送信することを特徴とする。
【００４０】
従って、無料モード信号を生成するステップにおいて装置固有番号を考慮することが可能となるため、個々のプリント自動販売装置１ごとに無料プリントサービスの提供の可能、不可能を設定することが可能となる。
【００４１】
また、本実施の形態におけるサーバ装置３において、無料プリント情報には、利用可能なプリント自動販売装置１の装置固有番号が含まれていることを特徴とする。
【００４２】
従って、無料プリント情報に利用可能なプリント自動販売装置１の装置固有番号が含まれていることによって、移動通信端末２の無料プリント判定部１２は、無料プリント情報から取得した装置固有番号と、プリント自動販売装置１から取得した装置固有番号との比較に基づいて無料モード信号を生成することが可能となる。
【００４３】
＜実施の形態３＞
＜構成＞
図５は、本実施の形態に係るプリント自動販売装置１、移動通信端末２およびサーバ装置３の機能ブロック図である。図５において、サーバ装置３は、無料プリント情報変更部２０をさらに備える。その他の構成は実施の形態１（図１）と同じであるため、説明を省略する。
【００４４】
＜動作＞
無料プリント情報変更部２０は、記憶部１４に記憶されている無料プリント情報を一定期間ごとに変更する。例えば、多数のプリント自動販売装置１の内、いくつかのプリント自動販売装置１において無料プリントサービスを提供する場合、無料プリント情報変更部２０が、無料プリント情報に含まれる装置固有番号リストを定期的に変更することにより、無料プリントサービスを提供可能なプリント自動販売装置１が偏ることを防ぐことができる。なお、その他の動作は実施の形態１と同じため、説明を省略する。
【００４５】
なお、無料プリント情報変更部２０は、インターネット上に接続されたサービス提供者のＰＣ等の情報端末であってもよい。
【００４６】
＜効果＞
本実施の形態におけるサーバ装置３において、無料プリント情報は、一定期間ごとに更新されることを特徴とする。
【００４７】
従って、無料プリント情報を一定期間ごとに更新することで、無料プリント情報を容易に最新の状態に保つことが可能となる。無料プリント情報を最新の状態に保つことにより、利用者に最新のサービスを提供することが可能である。
【００４８】
＜実施の形態４＞
＜構成＞
図６は、本実施の形態に係るプリント自動販売装置１、移動通信端末２およびサーバ装置３の機能ブロック図である。図６において、プリント自動販売装置１は、有料モード信号受信部２３と有料プリントサービス管理部１０をさらに備える。また、移動通信端末２は、有料モード信号送信部２１と有料プリントサービス回数記録部２２をさらに備える。その他の構成は実施の形態１（図１）と同じため、説明を省略する。
【００４９】
＜動作＞
移動通信端末２の無料プリントサービス判定部１２は、無料プリント情報を取得するとともに、有料プリントサービス回数記録部２２から有料プリントサービス回数を取得する。有料プリントサービスの回数が所定の回数を超えている場合、無料プリントサービス判定部は、無料モード信号を生成する。これにより、無料モード信号送信部１３は無料モード信号を送信可能となる。
【００５０】
一方、無料プリント情報に基づいて無料プリントサービス不可能と判断され、かつ有料プリントサービスの回数が所定の回数を超えていない場合、有料モード信号を送信可能となる。有料モード信号送信部２１が有料モード信号を送信したとき、有料プリントサービス回数記録部２２には、有料モード信号の送信回数（即ち有料プリントサービスの利用回数）が記録される。
【００５１】
プリント自動販売装置１の有料モード信号受信部２３において有料モード信号が受信された場合は、有料プリントサービス管理部２４からプリント注文受付部４へ有料プリントサービスの提供指示が実施される。上述した以外の動作は、実施の形態１で述べた動作と同じため、説明を省略する。
【００５２】
なお、無料モード信号送信部１３と有料モード信号送信部２１、無料モード信号受信部９と有料モード信号受信部２３、さらに無料プリントサービス管理部１０と有料プリントサービス管理部２４は同一の機構で実現されても良い。
【００５３】
＜効果＞
本実施の形態における無料モード信号送信方法は、有料プリントの回数を取得するステップと、有料プリントの回数が所定の回数を超えた場合に、前記無料モード信号を生成するステップと、をさらに備える。
【００５４】
従って、利用者が有料プリントサービスを繰返し利用して、有料プリントサービスの回数が所定の回数を超えることで、利用者は無料プリントサービスの提供を受けることが可能となる。よって、利用者が有料プリントサービスを利用する動機を与え、更なる販売促進を実現することが可能となる。
【００５５】
＜実施の形態５＞
＜構成＞
図７は、本実施の形態に係るプリント自動販売装置１、移動通信端末２およびサーバ装置３の機能ブロック図である。図７において、移動通信端末２は、移動通信端末２の現在位置を検知する位置情報検知部２５と、表示部２７と、位置情報表示信号を生成する表示信号生成部２６と、をさらに備える。位置情報検知部２５は、例えばＧＰＳ信号によって移動通信端末２の現在位置を検知する。
【００５６】
また、サーバ装置３の記憶部１４に記憶されている無料プリント情報には、さらに、無料プリントサービスを提供可能なプリント自動販売装置１の位置情報のリストとして、装置位置情報リストが含まれている。その他の構成は実施の形態１と同じため、説明を省略する。
【００５７】
＜動作＞
まず、表示信号生成部２６は、位置情報検知部２５から移動通信端末２の現在位置を取得する。また、表示信号生成部２６はネットワーク通信部１１から装置位置情報リストを取得する。次に、表示信号生成部２６は、移動通信端末２の現在位置から、装置位置情報リストに記載されている各プリント自動販売装置１までの距離を計算する。そして、この距離が所定値以下（例えば１ｋｍ以下）のプリント自動販売装置１を選択する。そして、移動通信端末２の現在位置と、選択したプリント自動販売装置１の位置とを表示する表示信号を表示部２７に出力する。
【００５８】
これにより、移動通信端末２の現在位置と、移動通信端末２からの距離が例えば１ｋｍ以内に存在するプリント自動販売装置１の位置とが、表示部２７に表示された地図上に表示される。よって、移動通信端末２を携帯した利用者は、無料プリントサービスを提供している最寄りのプリント自動販売装置１を簡単に見つけることができるため、利用者の利便性が向上する。その他の動作は実施の形態１と同じであるため、説明を省略する。
【００５９】
また、移動通信端末２から所定の距離内に無料プリントサービスを提供するプリント自動販売装置１が存在する場合に、通知音の出力、メッセージの表示など、プリント自動販売装置１の存在を能動的に利用者に知らせる動作を併せて行ってもよい。この様な動作を行うことにより、プリント自動販売装置１の設置場所の認知度を上げることができる。
【００６０】
また、プリント自動販売装置１が位置情報検知部を備える場合には、移動通信端末２はプリントサービス実施時にプリント自動販売装置１から装置固有番号と位置情報を取得し、サーバ装置３の記憶部１４に記憶されている装置位置情報リストを更新することで、装置位置情報リストを常に最新の状態を保つことができる。なお、プリント自動販売装置１の位置情報として、プリントサービス提供時に接続された移動通信端末２の位置情報を利用しても同等のことが実現できる。
【００６１】
＜効果＞
本実施の形態における無料モード信号送信方法において、無料プリント情報には、利用可能なプリント自動販売装置１の位置情報が含まれており、自己の位置情報を取得するステップと、自己の位置と、利用可能なプリント自動販売装置１の位置とを表示部２７に表示可能な表示信号を出力するステップと、をさらに備える。
【００６２】
従って、例えば、移動通信端末２から距離内に設置されている利用可能なプリント自動販売装置１の位置を表示部２７に表示させることで、移動通信端末２を携帯した利用者は、最寄りのプリント自動販売装置１を簡単に見つけることができるため、利用者の利便性が向上する。
【００６３】
なお、本発明は、その発明の範囲内において、各実施の形態を自由に組み合わせたり、各実施の形態を適宜、変形、省略することが可能である。
【符号の説明】
【００６４】
１  プリント自動販売装置、２  移動通信端末、３  サーバ装置、４  プリント注文受付部、５  プリント注文管理部、６  料金支払い受付部、７  印刷部、８  印刷物受渡部、９  無料モード信号受信部、１０  無料プリントサービス管理部、１１，１５  ネットワーク通信部、１２  無料プリントサービス判定部、１３  無料モード信号送信部、１４  記憶部、２０  無料プリント情報変更部、２１  有料モード信号送信部、２２  有料プリントサービス回数記録部、２３  有料モード信号受信部、２４  有料プリントサービス管理部、２５  位置情報検知部、２６  表示信号生成部、２７  表示部、３０  インターネット。
【図１】
2014206847.tif 000003
【図２】
2014206847.tif 000004
【図３】
2014206847.tif 000005
【図４】
2014206847.tif 000006
【図５】
2014206847.tif 000007
【図６】
2014206847.tif 000008
【図７】
2014206847.tif 000009